(57)【要約】【課題】表表紙及び裏表紙を形成するシートの各一端側を重ね合わせて見出し片挿入部を有する背表紙を設けるにあたり、各シートの連結を強固に行うファイルを提供すること。【解決手段】表表紙１１を形成する第１のシートＳ１の一端側内面に裏表紙１２を形成する第２のシートＳ２の一端側外面を重ね合わせて中間に背表紙１３が形成されるファイル本体１５と、背表紙の内面側に位置する折り込み部１６に装着される綴じ具１７とを備えてファイル１０が構成される。折り込み部の合わせ面間には第１のシートの連結代１９が挟み込まれる。連結代には抜き穴２０が形成されており、抜き穴によって折り込み部形成代２５，２６の合わせ面が部分的に直接接触可能となり、当該接触領域に溶着部４０を設けることで第１，第２のシートとの連結が行われ、第２のシートの延長片２９を表表紙の内面に溶着することで、幅方向に拡大された見出し片挿入部１４が形成される。【選択図】図１
2010184462.tif 000002
【特許請求の範囲】
【請求項１】
第１のシートにより形成される第１の表紙と、当該第１の表紙に相対する樹脂製の第２のシートにより形成される第２の表紙と、第１のシートの一端側内面に第２のシートの一端側外面を重ね合わせて背表紙が形成されるファイル本体を含み、前記第１及び第２のシートの重ね合わせた幅方向両側箇所を接合することで前記背表紙が形成されるファイルであって、
前記第２の表紙は、前記背表紙の近傍に前記第１のシートの一端側を挟み込む折り込み部を備え、当該折り込み部に挟み込まれる第１のシートの領域内に、前記折り込み部の接合を促進する接合促進部が形成されることを特徴とするファイル。
【請求項２】
第１のシートにより形成される表表紙と、当該表表紙に相対する樹脂製の第２のシートにより形成される裏表紙と、第１のシート一端側内面に第２のシートの一端側外面を重ね合わせて背表紙が形成されるファイル本体を含み、前記第１及び第２のシートの重ね合わせた幅方向両側箇所を接合することで前記背表紙が形成されるファイルであって、
前記裏表紙は、前記背表紙の近傍に前記表表紙の一端側を挟み込む二枚厚の折り込み部を備え、当該折り込み部に挟み込まれる第１のシートの領域内に、前記折り込み部の合わせ面を直接接触可能として接合を促進する接合促進部が形成されていることを特徴とするファイル。
【請求項３】
前記接合促進部は、抜き穴若しくは切欠部により構成されていることを特徴とする請求項１又は２記載のファイル。
【請求項４】
前記第１のシートは透明な樹脂製のシートにより構成され、前記背表紙を形成する第１の表紙部分と、第２の表紙部分との間に見出し片挿入部が形成されていることを特徴とする請求項１，２又は３記載のファイル。
【請求項５】
前記見出し片挿入部は、前記背表紙と、一方の表紙の背表紙側領域に連続する幅を備えていることを特徴とする請求項４記載のファイル。
【請求項６】
前記ファイル本体の内面側に、綴じ具が装着されていることを特徴とする請求項１ないし５の何れかに記載のファイル。
【発明の詳細な説明】
【技術分野】
【０００１】
本発明はファイルに係り、更に詳しくは、表表紙を形成するシートと裏表紙を形成するシートの各一端側を重ね合わせて接合することで見出し片挿入部を有する背表紙を備えたファイルに関する。
【背景技術】
【０００２】
従来より、フラットファイルと称するファイルが知られている。このファイルは、一枚のシートを折り曲げて形成されており、表表紙と裏表紙との中間に背表紙が設けられている。また、背表紙の近傍における裏表紙の内面側には折り込み部が設けられており、当該折り込み部に綴じ具が装着できるようになっている。
このタイプのファイルは、タイトル等の見出しを付す場合、背表紙の外面に筆記具を用いて記入する他、印字を施したラベルを背表紙に貼付することによって行われる。従って、見出しの内容を変更したりする自由度はないものとなる。
【０００３】
特許文献１には、背表紙側に見出し片を出し入れ可能とする上下開通型の見出し片挿入部を備えたファイルが開示されている。このファイルによれば、見出し片を交換したり、裏返して利用することにより、見出しの内容を変更することができる。
【先行技術文献】
【特許文献】
【０００４】
【特許文献１】特許第２６４１０２５号公報
【発明の概要】
【発明が解決しようとする課題】
【０００５】
しかしながら、特許文献１に記載されたファイルにあっては、一枚のシートを折り曲げて中間に背表紙を形成し、当該背表紙の内面側に、別途のシートの幅方向両側を接着して見出し片挿入部を設けたものである。従って、見出し片挿入部を形成するためのシートが別途に必要になる、という不都合がある。
【０００６】
［発明の目的］
本発明は、このような不都合に着目して案出されたものであり、その目的は、表表紙及び裏表紙を形成するシートの各一端側を重ね合わせて背表紙を備えたファイルを提供することにある。
また、本発明の目的は、表紙の内面側に設けられる綴じ具装着用の折り込み部を利用して表紙を形成する各シートの相互連結を強固に行とともに、折り込み部形成代の相互接合を確実に行うことのできるファイルを提供することにある。
【課題を解決するための手段】
【０００７】
前記目的を達成するため、本発明は、第１のシートにより形成される第１の表紙と、当該第１の表紙に相対する樹脂製の第２のシートにより形成される第２の表紙と、第１のシートの一端側内面に第２のシートの一端側外面を重ね合わせて背表紙が形成されるファイル本体を含み、前記第１及び第２のシートの重ね合わせた幅方向両側箇所を接合することで前記背表紙が形成されるファイルであって、
前記第２の表紙は、前記背表紙の近傍に前記第１のシートの一端側を挟み込む折り込み部を備え、当該折り込み部に挟み込まれる第１のシートの領域内に、前記折り込み部の接合を促進する接合促進部が形成される、という構成を採っている。
【０００８】
また、本発明は、第１のシートにより形成される表表紙と、当該表表紙に相対する樹脂製の第２のシートにより形成される裏表紙と、第１のシート一端側内面に第２のシートの一端側外面を重ね合わせて背表紙が形成されるファイル本体を含み、前記第１及び第２のシートの重ね合わせた幅方向両側箇所を接合することで前記背表紙が形成されるファイルであって、
前記裏表紙は、前記背表紙の近傍に前記表表紙の一端側を挟み込む二枚厚の折り込み部を備え、当該折り込み部に挟み込まれる第１のシートの領域内に、前記折り込み部の合わせ面を直接接触可能として接合を促進する接合促進部が形成され、という構成を採ることが好ましい。
【０００９】
本発明において、前記接合促進部は、抜き穴若しくは切欠部により構成することが好ましい。
【００１０】
また、前記第１のシートは透明な樹脂製のシートにより構成され、前記背表紙を形成する第１の表紙部分と、第２の表紙部分との間に見出し片挿入部が形成される、という構成を採っている。
【００１１】
また、前記見出し片挿入部は、前記背表紙と、一方の表紙の背表紙側領域に連続する幅を備え、という構成を採っている。
【００１２】
更に、前記ファイル本体の内面側に、綴じ具が装着される。
【発明の効果】
【００１３】
本発明によれば、二枚のシートを部分的に重ね合わせて幅方向両側を接合することで上下に開通する袋状の見出し片挿入部を有する背表紙を備えたファイルを形成することが可能となる。しかも、接合促進部を設けることで、前記折り込み部における合わせ面の接合を精度良く行うことができ、シート相互の連結強度を高めることが可能となる。この際、接合促進部は、合わせ面を相互に直接接触させるための抜き穴若しくは切欠部をシート部分に形成するだけでよいため、構造を複雑にすることはない。
また、見出し片挿入部は、背表紙とこれに連なる表紙部分に跨るように形成されるため、ファイルを閉じたときに直交二方向に見出しを表出させることができる。
【図面の簡単な説明】
【００１４】
【図１】実施形態に係るファイルを開いて内面側から見た要部概略斜視図。
【図２】図１のＡ−Ａ線矢視拡大断面図。
【図３】表表紙の平面図。
【図４】裏表紙の平面図。
【発明を実施するための形態】
【００１５】
以下、本発明の好ましい実施形態を、図面を参照しながら詳細に説明する。
【００１６】
図１及び図２に示されるように、ファイル１０は、第１の表紙としての表表紙１１と、当該表表紙１１に相対する第２の表紙としての裏表紙１２と、これら表表紙１１、裏表紙１２の間に位置する背表紙１３と、この背表紙１３の領域を含んで形成された見出し片挿入部１４とを備えたファイル本体１５と、裏表紙１２の内面側に位置する折り込み部１６を装着代として装着された綴じ具１７とを備えて構成されている。
【００１７】
表表紙１１は、図３中左右方向となる幅寸法に対して上下方向の高さ寸法が大きい略方形をなす透明な樹脂製の第１のシートＳ１を用いて形成される。第１のシートＳ１において、図３中右側に背表紙形成代１８が設けられており、当該背表紙形成代１８の右側には、前記折り込み部１６に挟み込まれる連結代１９が設けられている。連結代１９の上下二箇所には、接合促進部として作用する方形の抜き穴２０が形成されているとともに、これら抜き穴２０間には、綴じ具１７の綴じ足２２との位置的干渉を避けるための凹状切欠部２３が所定間隔を隔てて二箇所に設けられている。
【００１８】
前記裏表紙１２は、図４に示されるように、左右方向の幅寸法が上下方向の高さ寸法よりも大きい略方形をなす樹脂製の第２のシートＳ２を用いて形成される。第２のシートＳ２の図４中左側には折り曲げ線Ｌ１を折り曲げて二枚厚に折り込まれる左右一対の折り込み部形成代２５，２６が設けられ、折り込み部形成代２５の左側に背表紙形成代２８と、見出し片挿入部１４を幅方向に拡大するための延長代２９が設けられている。折り込み部形成代２５，２６の面内には、これら折り込み部形成代２５，２６を折り曲げ線Ｌ１で折り曲げて内側に折り込んだときに、その面を貫通して綴じ足２２を挿入することのできる穴３０が複数形成されている。また、延長代２９の長手方向一端側には、切取部３２が形成されている。
【００１９】
前記綴じ具１６は、綴じ足２２と、当該綴じ足２２が挿入される扁平細長形状を備えた綴じ板３５と、これら綴じ板３５に沿って相互に離間接近する方向に移動可能に設けられた一対のスライダ３７とを備えた公知のものが採用されている。
【００２０】
前記ファイル１０を形成する場合には、第２のシートＳ２における折り曲げ線Ｌ１を折り曲げて折り込み部形成代２５，２６を裏表紙１２の領域内に位置するように折り込み、その折り込み癖を付けておく。そして、折り込み部形成代２５，２６の合わせ面間に、第１のシートＳ１の連結代１９を挟み込む。この際、折り込み部形成代２５，２６の合わせ面は、連結代１９における抜き穴２０が形成されている領域において、連結代１９が介在することなく直接接触若しくは相対し得ることとなり、当該領域で折り込み部形成代２５側から溶着を行って溶着部４０を形成する。これにより、折り込み部形成代２５，２６による折り込み形状が維持されて折り込み部１６が形成される。
【００２１】
次いで、第１のシートＳ１における背表紙形成代１８と、表表紙１１の内面側領域に第２のシートＳ２の背表紙形成代２８と延長代２９をそれぞれ重ね合わせる。この状態で、延長代２９の幅方向外側端部を表表紙１１に溶着して溶着部４１を設ける。これにより、背表紙形成代１８，２８の領域で背表紙１３が形成され、当該背表紙１３と、表表紙１１の背表紙１３側の一定領域に上下開通型の見出し片挿入部１４が形成される。
【００２２】
このようにしてファイル本体１５を完成した状態で、前記折り込み部１６の面を利用して綴じ具１７を装着することでファイル１０が形成される。
【００２３】
なお、見出し片挿入部１４には、前記切取部３２が形成されている側から見出し片Ｐが挿入される。この見出し片Ｐは、ファイル１０を閉じた姿勢としたときに、横断面形状が略Ｌ字状となり、背表紙１３側と、表表紙１１側から見出し内容を見ることができる。
【００２４】
従って、このような実施形態によれば、表表紙１１に連なる連結代１９を挟み込んだ状態で折り込み部形成代２５，２６間に直接溶着部４０を設ける構成としたから、つまり、連結代１９を部分的に欠落させた状態で折り込み部形成代２５，２６の溶着を行えるように構成したから、これらの相互溶着を確実に行うことができる、という効果を得る。
また、第１及び第２のシートＳ１，Ｓ２を重ね合わせた幅方向両側箇所を溶着する構成により、幅方向に拡大された見出し片挿入部１４を備えた背表紙１３を形成することができる。
【００２５】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００２６】
例えば、前記実施形態では、接合促進部として抜き穴２０を形成したが、凹状の切欠部を設けることでもよい。また、抜き穴２０は二箇所に限らず、三箇所以上であってもよく、これに対応して溶着部４０を設ければよい。
また、前記溶着部４０、４１は、溶着に替えて接着することも可能である。
更に、前記見出し片挿入部１４は、背表紙１３と表表紙１１の一部に跨る構成としたが、折り込み部１６を表表紙１１側に設ければ、背表紙１３と裏表紙１２側に跨るように構成することができる。
【符号の説明】
【００２７】
１０  ファイル
１１  表表紙（第１の表紙）
１２  裏表紙（第２の表紙）
１３  背表紙
１４  見出し片挿入部
１５  ファイル本体
１７  綴じ具
１６  折り込み部
２０  抜き穴（接合促進部）
Ｓ１  第１のシート
Ｓ２  第２のシート
【図１】
2010184462.tif 000003
【図２】
2010184462.tif 000004
【図３】
2010184462.tif 000005
【図４】
2010184462.tif 000006